(57)【特許請求の範囲】
【請求項１】
投写面に第１画像を投写する投写手段と、
前記投写面上の指示体の位置を検知する検知手段と、
前記指示体の位置に応じて描かれた図形を含む第２画像を記憶する第１記憶手段と、
前記第２画像の送信先を特定するための情報を無線リーダー／ライターを介して取得する取得手段と、
ネットワークを介して通信する通信手段と、
前記取得手段により取得された情報により特定された送信先に前記通信手段を介して前記第２画像を送信する送信手段と
を有し、
前記第１記憶手段は、複数の前記第２画像を記憶し、  
前記取得手段により取得された、前記第２画像の送信先を特定するための情報には、前記複数の第２画像のうち少なくとも一の第２画像を指定する指定情報が含まれており、  
前記送信手段は、前記第１記憶手段により記憶された前記複数の第２画像のうち、前記指定情報により指定された第２画像を送信する
プロジェクター。
【請求項２】
前記第２画像は、前記指示体の位置に応じて描かれた図形と前記第１画像とを合成した画像である
ことを特徴とする請求項１に記載のプロジェクター。
【請求項３】
前記取得手段により取得された情報には、メールアドレスを特定する情報が含まれており、 前記送信手段は、前記メールアドレスに宛てて前記第２画像を送信する
ことを特徴とする請求項１又は２に記載のプロジェクター。
【請求項４】
前記取得手段により取得された情報には、利用者を識別する識別子が含まれており、
前記送信手段は、前記識別子を介して特定されるメールアドレスに宛てて前記第２画像を送信する
ことを特徴とする請求項１乃至３のいずれか１項に記載のプロジェクター。
【請求項５】
前記取得手段により取得された情報には、前記第２画像を暗号化するための暗号化情報が含まれており、
前記送信手段は、前記暗号化情報を用いて暗号化された前記第２画像を送信する
ことを特徴とする請求項１乃至４のいずれか１項に記載のプロジェクター。
【請求項６】
前記取得手段により取得された情報を揮発性の記憶領域に記憶する第２記憶手段を有し  、 前記送信手段は、前記第２記憶手段により記憶された情報により特定された送信先  に前記第２画像を送信する
ことを特徴とする請求項１乃至５のいずれか１項に記載のプロジェクター。
【請求項７】
前記取得手段は、前記無線リーダー／ライターを介して複数の無線タグから読み取られた複数の情報を取得し、
前記送信手段は、前記取得手段により取得された複数の情報により特定された複数の送信先の各々に前記第２画像を送信する
ことを特徴とする請求項１乃至６のいずれか１項に記載のプロジェクター。
【請求項８】
前記取得手段は、自装置における第１の入力端子と接続され、自装置に入力される映像信号が入力される第２の入力端子を有する外部装置に組み込まれた前記無線リーダー／ライターを介して前記情報を取得する
ことを特徴とする請求項１乃至７のいずれか１項に記載のプロジェクター。
【請求項９】
ネットワークに接続されたプロジェクターの制御方法であって、
投写面に第１画像を投写するステップと、
前記投写面上の指示体の位置を検知するステップと、
前記指示体の位置に応じて描かれた図形を含む複数の第２画像を記憶するステップと、
前記第２画像の送信先を特定するための情報であって、前記複数の第２画像のうち少なくとも一の第２画像を指定する指定情報を含む情報を無線リーダー／ライターを介して取得するステップと、
前記情報により特定された送信先に前記ネットワークを介して前記第２画像を送信するステップであって、記憶された前記複数の第２画像のうち、前記指定情報により指定された第２画像を送信するステップと
を有する制御方法。
【発明の詳細な説明】
【技術分野】
【０００１】
本発明は、指示体の位置に応じて描かれた画像を送信するプロジェクターに関する。
【背景技術】
【０００２】
プロジェクターが提供する各種機能を利用するために、ユーザーがプロジェクターに対して各種情報を入力することがある。例えば、特許文献１には、画像投影装置により投影される画像についてブックマーク登録を行うために、ユーザーがブックマーク指示を入力することが記載されている。特許文献２及び特許文献３には、ユーザーの認証を行うために、ユーザーがプロジェクターに対して認証情報を入力することが記載されている。
【先行技術文献】
【特許文献】
【０００３】
【特許文献１】特開２００８−０８３８６１号公報
【特許文献２】特開２０１２−２４２５０３号公報
【特許文献３】特開２００５−１８１６０６号公報
【発明の概要】
【発明が解決しようとする課題】
【０００４】
特許文献１乃至３に記載の技術においては、プロジェクターと接続されたコンピューター又はリモートコントローラーを操作することにより各種情報をプロジェクターに入力しており、プロジェクターへの情報の入力に手間がかかるという問題がある。
これに対し本発明は、指示体の位置に応じて描かれた図形を含む画像を送信するプロジェクターにおいて、利用者が送信先を入力する際の利便性をより高める技術を提供する。
【課題を解決するための手段】
【０００５】
本発明は、投写面に第１画像を投写する投写手段と、前記投写面上の指示体の位置を検知する検知手段と、前記指示体の位置に応じて描かれた図形を含む第２画像を記憶する第１記憶手段と、 前記第２画像の送信先を特定するための情報を無線リーダー／ライターを介して取得する取得手段と、ネットワークを介して通信する通信手段と、前記取得手段により取得された情報により特定された送信先に前記通信手段を介して前記第２画像を送信する送信手段とを有し、前記第１記憶手段は、複数の前記第２画像を記憶し、前記取得手段により取得された、前記第２画像の送信先を特定するための情報には、前記複数の第２画像のうち少なくとも一の第２画像を指定する指定情報が含まれており、 前記送信手段は、前記第１記憶手段により記憶された前記複数の第２画像のうち、前記指定情報により指定された第２画像を送信するプロジェクターを提供する。
このプロジェクターによれば、指示体の位置に応じて描かれた図形を含む画像を送信するプロジェクターにおいて、送信先を特定するための情報が無線リーダー／ライターを介して取得されない場合に比べて、利用者が容易に送信先を入力することができる。また、このプロジェクターによれば、指示体の位置に応じて描かれた複数の第２画像の中から、無線リーダー／ライターを介して取得された情報に応じて異なる第２画像が送信される。
【０００６】
好ましい態様において、前記第２画像は、前記指示体の位置に応じて描かれた図形と前記第１画像とを合成した画像であることを特徴とする。
このプロジェクターによれば、第１画像に手書き図形を重ね書きした第２画像が送信されるので、投写された画像に情報を付け加えた画像を利用者が容易に入手できる。
【０００７】
別の好ましい態様において、前記取得手段により取得された情報には、メールアドレスを特定する情報が含まれており、前記送信手段は、前記メールアドレスに宛てて前記第２画像を送信することを特徴とする。
このプロジェクターによれば、第２画像の送信先となるメールアドレスが、無線リーダー／ライターを介して取得された情報により特定される。
【０００８】
別の好ましい態様において、前記取得手段により取得された情報には、利用者を識別する識別子が含まれており、前記送信手段は、前記識別子を介して特定されるメールアドレスに宛てて前記第２画像を送信することを特徴とする。
このプロジェクターによれば、第２画像の送信先となるメールアドレスが、無線リーダー／ライターを介して取得された識別子を介して特定される。
【０００９】
別の好ましい態様において、前記取得手段により取得された情報には、前記第２画像を暗号化するための暗号化情報が含まれており、前記送信手段は、前記暗号化情報を用いて暗号化された前記第２画像を送信することを特徴とする。
このプロジェクターによれば、送信先を指定した利用者以外の第三者による第２画像の盗み見が防止される。
【００１０】
別の好ましい態様において、前記取得手段により取得された情報を揮発性の記憶領域に記憶する第２記憶手段を有し、前記送信手段は、前記第２記憶手段により記憶された情報により特定された送信先に前記第２画像を送信することを特徴とする。
このプロジェクターによれば、第２画像の送信先を特定するための情報が不揮発性の記憶領域に記憶される場合に比べて、当該情報の漏洩が抑制される。
【００１１】
別の好ましい態様において、前記取得手段は、前記無線リーダー／ライターを介して複数の無線タグから読み取られた複数の情報を取得し、前記送信手段は、前記取得手段により取得された複数の情報により特定された複数の送信先の各々に前記第２画像を送信することを特徴とする。
このプロジェクターによれば、複数の送信先を特定するための複数の情報が無線タグから読み取られない場合に比べて、複数の利用者が容易に送信先を入力することができる。
【００１３】
別の好ましい態様において、前記取得手段は、自装置における第１の入力端子と接続され、自装置に入力される映像信号が入力される第２の入力端子を有する外部装置に組み込まれた前記無線リーダー／ライターを介して前記情報を取得することを特徴とする。
このプロジェクターによれば、プロジェクターが人の手の届かない場所に設置された場合であっても、利用者が外部装置を介して送信先を入力することができる。
【００１４】
また、本発明は、ネットワークに接続されたプロジェクターの制御方法であって、投写面に第１画像を投写するステップと、 前記投写面上の指示体の位置を検知するステップと、 前記指示体の位置に応じて描かれた図形を含む複数の第２画像を記憶するステップと、前記第２画像の送信先を特定するための情報であって、前記複数の第２画像のうち少なくとも一の第２画像を指定する指定情報を含む情報を無線リーダー／ライターを介して取得するステップと、前記情報により特定された送信先に前記ネットワークを介して前記第２画像を送信するステップであって、記憶された前記複数の第２画像のうち、前記指定情報により指定された第２画像を送信するステップとを有する制御方法を提供する。
このプロジェクターの制御方法によれば、指示体の位置に応じて描かれた図形を含む画像を送信するプロジェクターにおいて、送信先を特定するための情報が無線リーダー／ライターを介して取得されない場合に比べて、利用者が容易に送信先を入力することができる。また、このプロジェクターの制御方法によれば、指示体の位置に応じて描かれた複数の第２画像の中から、無線リーダー／ライターを介して取得された情報に応じて異なる第２画像が送信される。
【図面の簡単な説明】
【００１５】
【図１】一実施形態に係る画像送信システムＴＳの全体構成を示す図。
【図２】プロジェクターの機能構成を示すブロック図。
【図３】プロジェクターのハードウェア構成を例示する図。
【図４】ＩＦボックスのハードウェア構成を例示する図。
【図５】サーバー装置のハードウェア構成を例示する図。
【図６】端末装置のハードウェア構成を示すブロック図。
【図７】メール送信機能を実行する際の設定画面を例示する図。
【図８】画像送信システムＴＳの動作を示すシーケンスチャート。
【図９】送信先情報の読み取りが行われる様子を示す図。
【図１０】更新後の設定画面を例示する図。
【発明を実施するための形態】
【００１６】
１．構成
図１は、一実施形態に係る画像送信システムＴＳの全体構成を示す図である。画像送信システムＴＳは、プロジェクター１と、電子ペン２と、インターフェースボックス３（以下「ＩＦボックス３」という）と、サーバー装置４と、端末装置５とを有する。プロジェクター１は、映像ソースとなる電子機器（図示省略）から入力された映像信号により示される画像（以下「入力画像」という）をスクリーンＳＣ（投写面の一例）に投写する装置である。プロジェクター１は、いわゆるホワイトボード機能（電子黒板機能又はインタラクティブ機能と言われる場合もある）を有するプロジェクターである。図１の例で、プロジェクター１は、フロントプロジェクション型の短焦点のプロジェクターであり、スクリーンＳＣの上部に配置されている。電子ペン２は、スクリーンＳＣ上における指示体として用いられる操作デバイスである。プロジェクター１は、スクリーンＳＣ上における電子ペン２の位置を継続的に特定する機能を備える。プロジェクター１は、また、電子ペン２の位置（軌跡）に応じて描かれた画像（以下「手書き画像」という）を記憶し、当該手書き画像を電子メールに添付して送信する機能（以下「メール送信機能」という）を備える。メール送信機能は、例えば、ホワイトボード機能を利用したユーザーが、描画された内容を記録するために、自らが利用する端末装置に手書き画像を送信する場合に実行される。画像送信システムＴＳにおいて、プロジェクター１は、サーバー装置４を介して手書き画像を端末装置５に送信する。電子ペン２は、また、プロジェクター１に対する指示をスクリーンＳＣ上で入力するために用いられる。
【００１７】
ＩＦボックス３（外部装置の一例）は、プロジェクター１がユーザーの手の届きにくい場所（例えば、部屋の天井又は部屋の壁の上部）に配置されている場合に、プロジェクター１と映像ソースとなる電子機器との接続及びプロジェクター１に対する各種指示（例えば、電源のオン／オフ及び映像ソースの切り替えなど）の入力を容易にするための装置である。ＩＦボックス３は、プロジェクター１及び映像ソースとなる電子機器と接続されており、映像ソースとなる電子機器から入力された映像信号を、プロジェクター１に出力する。ＩＦボックス３には、所定の国際標準規格（例えば、ISO/IEC 14443 TypeA/TypeB、ISO/IEC 18092、ISO/IEC 15693など）に準拠したＲＦＩＤ（Radio Frequency Identifier）リーダー／ライターが組み込まれている。ＲＦＩＤリーダー／ライター３０２の用途については後述する。
【００１８】
サーバー装置４は、プロジェクター１においてメール送信機能が実行される際の電子メールの送受信を管理する情報処理装置、すなわちメールサーバーである。端末装置５は、プロジェクター１から送信された手書き画像を受信する装置、例えば、パーソナルコンピューターである。プロジェクター１、サーバー装置４、及び端末装置５は、インターネットなどのネットワークＮに接続されており、当該ネットワークＮを介して通信を行う。
【００１９】
図２は、一実施形態に係るプロジェクター１の機能構成を示すブロック図である。プロジェクター１は、投写手段１１と、検知手段１２と、第１記憶手段１３と、取得手段１４と、第２記憶手段１５と、暗号化手段１６と、通信手段１７と、送信手段１８とを有する。投写手段１１は、スクリーンＳＣに入力画像（第１画像の一例）を投写する。検知手段１２は、スクリーンＳＣ上の電子ペン２の位置を検知する。第１記憶手段１３は、手書き画像（第２画像の一例）を記憶する。取得手段１４は、手書き画像の送信先を特定するための情報（以下「送信先情報」という）をＲＦＩＤリーダー／ライター３０２（無線リーダー／ライターの一例）を介して取得する。第２記憶手段１５は、取得手段１４により取得された情報を揮発性の記憶領域に記憶する。暗号化手段１６は、第１記憶手段１３に記憶された手書き画像を暗号化する。通信手段１７は、ネットワークＮを介して通信する。送信手段１８は、暗号化手段１６により暗号化された手書き画像を、通信手段１７を介して送信する。送信手段１８は、取得手段１４により取得された送信先情報により特定された送信先に手書き画像を送信する。
【００２０】
図３は、一実施形態に係るプロジェクター１のハードウェア構成を例示する図である。プロジェクター１は、ＣＰＵ（Central Processing Unit）１００と、ＲＯＭ（Read Only Memory）１０１と、ＲＡＭ（Random Access Memory）１０２と、記憶部１０３と、ＩＦ（インターフェース）部１０４と、画像処理回路１０５と、投写ユニット１０６と、撮像部１０７と、操作パネル１０８とを有する。
【００２１】
ＣＰＵ１００は、プロジェクター１の各部を制御する制御装置である。ＲＯＭ１０１は、各種プログラム及びデータを記憶した不揮発性の記憶装置である。ＲＡＭ１０２は、データを記憶する揮発性の記憶装置であり、ＣＰＵ１００が処理を実行する際のワークエリアとして機能する。記憶部１０３は、データ及びプログラムを記憶する不揮発性の記憶装置、例えばＳＳＤ（Solid State Drive）である。この例で、記憶部１０３は、プロジェクター１にホワイトボード機能を実現させるためのプログラム（以下「ホワイトボードプログラム」という）及びメール送信機能を実現させるためのプログラム（以下「メール送信プログラム」という）を記憶している。なお、メール送信プログラムはＲＯＭ１０１が記憶していてもよい。
【００２２】
ＩＦ部１０４は、映像ソースとなる電子機器と信号又はデータのやりとりを仲介し、且つ、ネットワークＮを介してサーバー装置４と通信を行うインターフェースである。ＩＦ部１０４は、外部装置と信号又はデータのやりとりをするための各種端子（例えば、ＶＧＡ端子、ＵＳＢ端子、有線ＬＡＮインターフェース、Ｓ端子、ＲＣＡ端子、ＨＤＭＩ（High-Definition Multimedia Interface：登録商標）端子など）及び無線ＬＡＮインターフェースも備える。
【００２３】
画像処理回路１０５は、入力された映像信号に所定の画像処理を施す。投写ユニット１０６は、画像処理が施された映像信号に従って、スクリーンＳＣに画像を投写する。投写ユニット１０６は、光源、光変調器、及び光学系、並びにこれらの駆動回路を有する（いずれも図示略）。光源は、高圧水銀ランプ、ハロゲンランプ、若しくはメタルハライドランプなどのランプ、又はＬＥＤ（Light Emitting Diode）若しくはレーザーダイオードなどの固体光源を有する。光変調器は、光源から照射された光を映像信号に応じて変調する装置であり、例えば液晶パネルを有する。光学系は、光変調器により変調された光をスクリーンＳＣに投写する素子であり、例えばレンズ及びプリズムを有する。この例で、光源及び光変調器は、色成分毎に設けられている。具体的には、赤、緑、及び青の３原色のそれぞれについて個別に、光変調器が設けられている。各液晶パネルによって変調された光は光学系で合成され、スクリーンＳＣに投写される。
【００２４】
撮像部１０７は、電子ペン２の位置を特定するために、画像が投写されるスクリーンＳＣを含む領域を撮影する。この例で、電子ペン２は固有の波長の光を出力する発光素子及びペン先に圧力センサーを有しており、圧力センサーが圧力を検知すると、発光素子が光を出力する。ＣＰＵ１００は、撮像部１０７により撮影された画像においてその波長の光に相当する点の位置から、電子ペン２の位置を検知する。撮像部１０７はスクリーンＳＣを含む領域を所定の周期で撮影している。検出された位置を時系列に並べると電子ペンの軌跡が得られる。ＣＰＵ１００は、検出した電子ペン２の位置に応じた画像を描画するように、画像処理回路１０５及び投写ユニット１０６を制御する。
【００２５】
操作パネル１０８は、ユーザーがプロジェクター１に対し指示を入力するための入力装置であり、例えば、キーパッド、ボタン、又はタッチパネルを含む。
【００２６】
この例で、投写ユニット１０６は投写手段１１の一例である。ホワイトボードプログラムを実行しているＣＰＵ１００により制御された撮像部１０７は、検知手段１２の一例である。ホワイトボードプログラムを実行しているＣＰＵ１００により制御された記憶部１０３は、第１記憶手段１３の一例である。メール送信プログラムを実行しているＣＰＵ１００により制御されたＩＦ部１０４は、取得手段１４、通信手段１７、及び送信手段１８の一例である。メール送信プログラムを実行しているＣＰＵ１００により制御されたＲＡＭ１０２は、第２記憶手段１５の一例である。メール送信プログラムを実行しているＣＰＵ１００は、暗号化手段１６の一例である。
【００２７】
図４は、ＩＦボックス３のハードウェア構成を例示する図である。ＩＦボックス３は、制御部３００と、ＩＦ部３０１と、ＲＦＩＤリーダー／ライター３０２とを有する。制御部３００は、ＩＦボックス３の各部を制御する制御装置である。ＩＦ部３０１は、映像ソースとなる電子機器及びプロジェクター１と信号又はデータのやりとりを仲介するインターフェースである。ＩＦ部３０１は、外部装置と信号又はデータのやりとりをするための各種端子を備える。本実施形態において、ＩＦボックス３は、一の入力端子が映像ソースとなる電子機器と接続されており、また、当該一の入力端子に対応する一の出力端子がプロジェクター１の入力端子と接続されている。ＲＦＩＤリーダー／ライター３０２は、所定の国際標準規格（例えば、ISO/IEC 14443 TypeA/TypeB、ISO/IEC 18092、ISO/IEC 15693など）に準拠したＲＦＩＤ（Radio Frequency Identification）タグとＮＦＣ（Near Field Communication）による近距離無線通信を行う。
【００２８】
図５は、サーバー装置４のハードウェア構成を例示する図である。サーバー装置４は、ＣＰＵ４０１と、ＲＯＭ４０２と、ＲＡＭ４０３と、記憶部４０４と、ＩＦ部４０５とを有するコンピューターである。ＣＰＵ４０１は、プログラムを実行することによりサーバー装置４の各部を制御する制御装置である。ＣＰＵ４０１は、ＲＯＭ４０２及び記憶部４０４に記憶されているプログラムを読み出し、ＲＡＭ４０３を作業エリアにしてプログラムを実行する。ＲＯＭ４０２は、各種のプログラム及びデータを記憶した不揮発性の記憶装置である。ＲＡＭ４０３は、データを記憶する揮発性の主記憶装置である。
【００２９】
記憶部４０４は、各種のプログラム及びデータを記憶する不揮発性の補助記憶装置である。ＩＦ部４０５は、データを送受信する手段であり、ネットワークＮを介してプロジェクター１及び端末装置５と通信を行う。
【００３０】
図６は、端末装置５のハードウェア構成を示すブロック図である。端末装置５は、ＣＰＵ５０１と、ＲＯＭ５０２と、ＲＡＭ５０３と、記憶部５０４と、ＩＦ部５０５と、表示部５０６と、入力部５０７とを有するコンピューターである。ＣＰＵ５０１は、プログラムを実行することにより端末装置５の各部を制御する制御装置である。ＣＰＵ５０１は、ＲＯＭ５０２又は記憶部５０４に記憶されているプログラムを読み出し、ＲＡＭ５０３を作業エリアにしてプログラムを実行する。ＲＯＭ５０２は、各種のプログラム及びデータを記憶した不揮発性の記憶装置である。ＲＡＭ５０３は、データを記憶する揮発性の主記憶装置である。
【００３１】
記憶部５０４は、各種のプログラム及びデータを記憶する不揮発性の補助記憶装置である。ＩＦ部５０５は、データを送受信する手段であり、ネットワークＮを介してサーバー装置４と通信を行う。
【００３２】
表示部５０６は、情報を表示する手段、例えば液晶ディスプレイである。入力部５０７は、ユーザーによる入力を受け付ける装置であり、キーボード、マウス、及び各種ボタン等を備える。
【００３３】
２．関連技術の問題点
本実施形態の動作の説明に入る前に、関連技術の問題点について説明する。
【００３４】
図７は、メール送信機能を実行する際にスクリーンＳＣに投写される設定画面Ｉ１を例示する図である。この例で、ユーザーは、電子ペン２を用いて設定画面Ｉ１を操作することにより、電子メールの送信のための各種設定を行う。具体的には、ユーザーは、設定画面Ｉ１の領域Ｄ１を操作することにより、電子メールの送信先となるメールアドレス、電子メールのサブジェクト（件名）、電子メールに添付される手書き画像のファイル名を入力する。ユーザーは、また、添付される手書き画像を暗号化する場合には、設定画面Ｉ１の領域Ｄ２のチェックボックスＴ１にチェックマークを入れ、暗号化用のパスワードを入力する。メールアドレス、サブジェクト、ファイル名、及び暗号化の入力欄が選択されると、スクリーンＳＣには、設定画面Ｉ１に加えて仮想的なキーボードが表示される。ユーザーは、この仮想的なキーボードのキーを電子ペン２でタッチすることによりメールアドレス等を入力する。これらの入力は、プロジェクター１のリモートコントローラーを用いることにより行われてもよい。なお、サブジェクト及びファイル名の各欄には、予め定められた規則に従って生成された文字列が初期設定として表示される。ユーザーは、さらに、設定画面Ｉ１の領域Ｄ３及び領域Ｄ４を操作することにより、手書き画像のファイル形式、及び送信される手書き画像のページの範囲を指定する。これらの操作を終えると、ユーザーは送信ボタンＢ１を押下する。送信ボタンＢ１が押下されると、設定画面Ｉ１において設定された内容で電子メールが送信される。
【００３５】
上記の方法では、ユーザーは、メール送信機能を利用する際に電子ペン２を用いてメールアドレスを一文字ずつ入力しなければならないため、メールアドレスの入力に手間がかかるという問題があった。例えば、メール送信機能が会議又は授業で利用される場合、メールアドレスの入力に手間がかかると、会議又は授業の進行を阻害する場合がある。メールアドレスの入力の手間を回避するためには、メールアドレスを予めプロジェクター１に登録しておく方法がある。しかし、送信される電子メールの形式によっては、メールアドレスに加えて、ユーザーＩＤ及びパスワードの入力が必要になる場合があり、これらの個人情報をプロジェクター１に予め登録しておくことは、セキュリティの観点から好ましくない。また、メールアドレスを予めプロジェクターに登録しておく方法では、ユーザーが登録されたメールアドレスの選択を誤り、間違ったメールアドレスに宛てて電子メールが送信され、手書き画像の内容が漏洩する可能性もある。その一方で、メールアドレスの選択の誤りに起因する手書き画像の内容の漏洩を防ぐために手書き画像を暗号化する場合、上述した暗号化用のパスワードの入力にも手間がかかり、やはりセキュリティの観点からも好ましくない。本実施形態では、これらの問題に対処する。
【００３６】
３．動作
図８は、画像送信システムＴＳの動作を示すシーケンスチャートである。図８に示す処理は、例えば、手書き画像が記憶部１０３に記憶され、且つ、設定画面Ｉ１がスクリーンＳＣに投写された状態で開始される。設定画面Ｉ１は、例えば、スクリーンＳＣに投写された、プロジェクター１に対する各種指示の入力を受け付けるための複数のアイコンを有するグラフィカルユーザーインターフェース（いわゆるツールパレット）をユーザーが操作して、メール送信機能を実行するためのボタンを選択する（具体的には、電子ペン２を用いて当該ボタンを軽く叩く（タップする））ことを契機として投写される。なお、図８に示すフローチャートにおいては、サーバー装置４の処理は省略する。
【００３７】
ステップＳ１において、ＩＦボックス３の制御部３００は、ＲＦＩＤリーダー／ライター３０２を介してＲＦＩＤタグ（無線タグの一例）から送信先情報を読み取る。送信先情報の読み取りは、ＲＦＩＤタグが組み込まれたＲＦＩＤカードをユーザーがＲＦＩＤリーダー／ライター３０２にかざすことにより行われる。ＲＦＩＤカードは、予め画像送信システムＴＳを利用するユーザーについて予め発行されたカード、例えば、社員証又は学生証などである。ＲＦＩＤタグには、送信先情報として、ＲＦＩＤカードを携帯するユーザーに固有のメールアドレス、ユーザーＩＤ、及び暗号化用のパスワードが記憶されており、ステップＳ１では、これらの情報が読み取られる。なお、送信先情報に含まれたユーザーＩＤは、利用者を識別する識別子の一例である。また、送信先情報に含まれた暗号化用のパスワードは、暗号化情報の一例である。
【００３８】
図９は、送信先情報の読み取りが行われる様子を示す図である。図９の例では、ＲＦＩＤリーダー／ライター３０２がＲＦＩＤカードＲ１から送信先情報を読み取っている。ＲＦＩＤリーダー／ライター３０２は、送信先情報の読み取りが成功すると、例えば、通知音を出力する。ユーザーは、この通知音により送信先情報が読み取られたことを確認する。
【００３９】
再び図８を参照する。ステップＳ２において、制御部３００は、ＲＦＩＤタグから読み取った送信先情報をプロジェクター１に対して送信する。ステップＳ３において、制御部３００は、ＩＦボックス３から受信した送信先情報をＲＡＭ１０２に記憶する。ステップＳ４において、プロジェクター１のＣＰＵ１００は、設定画面Ｉ１を更新する。具体的には、ＣＰＵ１００は、ＲＡＭ１０２に記憶された送信先情報に含まれるメールアドレスを、設定画面Ｉ１のメールアドレスの入力欄に反映させる。ＣＰＵ１００は、また、ＲＡＭ１０２に記憶された送信先情報に含まれるパスワードを、設定画面Ｉ１の暗号化の入力欄に反映させる。
【００４０】
図１０は、ステップＳ４において更新がされた後の設定画面Ｉ１を例示する図である。この例で、メールアドレスの入力欄には、「aaa@xxx.com」が表示されており、また、暗号化の欄には、パスワード「１２３４５」が表示されている。なお、パスワードの秘匿性を保つために、暗号化の欄の文字列は他の文字列に置き換えられて表示されてもよい。ユーザーは更新後の設定画面Ｉ１を見ることにより、プロジェクター１にメールアドレス及び暗号化用のパスワードが入力されたことを確認する。
【００４１】
再び図８を参照する。ステップＳ５において、ＣＰＵ１００は、送信ボタンＢ１が押下（タップ）されたか否かを判断する。送信ボタンＢ１が押下されたと判断された場合（Ｓ５：ＹＥＳ）、ＣＰＵ１００は、処理をステップＳ６に移行する。送信ボタンＢ１が押下されていないと判断された場合（Ｓ５：ＮＯ）、ＣＰＵ１００は、送信ボタンＢ１が押下されるまで処理を待機する。
【００４２】
ステップＳ６において、ＣＰＵ１００は、手書き画像のファイル（以下「描画ファイル」という）を生成する。具体的には、ＣＰＵ１００は、記憶部１０３に記憶された手書き画像について、設定画面Ｉ１で指定された形式（設定画面Ｉ１で指定されたページの範囲、ファイル形式、及びファイル名）の描画ファイルを生成する。ＣＰＵ１００は、生成された描画ファイルをＲＡＭ１０２に記憶する。ステップＳ７において、ＣＰＵ１００は、描画ファイルを暗号化する。具体的には、ＣＰＵ１００は、ＲＡＭ１０２から描画ファイル及び送信先情報に含まれるパスワードを読み出し、当該パスワードを用いて所定の暗号化アルゴリズムで描画ファイルを暗号化する。
【００４３】
ステップＳ８において、ＣＰＵ１００は、暗号化された描画ファイルが添付された電子メールを端末装置５に送信する。具体的には、設定画面Ｉ１において指定された件名で、指定されたメールアドレスに宛てて、描画ファイルが添付された電子メールを送信する。なお、図８では、サーバー装置４の処理を省略しているためプロジェクター１から端末装置５に電子メールが直接送信されているが、実際には、プロジェクター１はサーバー装置４に電子メールを送信し、サーバー装置４が当該電子メールを端末装置５に送信する。
【００４４】
ステップＳ９において、端末装置５のＣＰＵ５０１は、パスワードの入力を受け付ける。パスワードは、例えば、プロジェクター１から送信された電子メールを開封し、当該電子メールに添付された描画ファイルを開くための操作を行うときにユーザーにより入力される。ステップＳ９おいて入力されるパスワードは、ステップＳ７において描画ファイルを暗号化するのに用いられたパスワード（すなわち、ステップＳ１においてＲＦＩＤリーダー／ライター３０２にかざされたＲＦＩＤカードに記録されたパスワード）と共通のものである。ユーザーは、例えば、端末装置５のキーボードを操作することにより、パスワードを入力する。なお、端末装置５が、ＲＦＩＤリーダー／ライターを備えている場合には、ユーザーは、当該ＲＦＩＤリーダー／ライターにＲＦＩＤカードをかざすことによりパスワードを入力してもよい。
【００４５】
ステップＳ１０において、ＣＰＵ５０１は、入力されたパスワードを用いて所定の復号アルゴリズムで描画ファイルを復号する。なお、ステップＳ９で入力されたパスワードが、描画ファイルの暗号化に用いられたパスワードと異なる場合には、描画ファイルを正しく復号することができない。ステップＳ１１において、ＣＰＵ５０１は、復号された描画ファイルを表示部５０６に表示する。
【００４６】
以上の処理により、メール送信機能が利用される際に、ユーザーがＲＦＩＤカードをＲＦＩＤリーダー／ライター３０２にかざすことにより、メールアドレス及び暗号化用のパスワードをプロジェクター１に入力することができる。したがって、ユーザーがメールアドレス及び暗号化用のパスワードを一文字ずつ入力する手間が省かれ、メール送信機能を利用する際の利便性が向上する。また、上述の実施形態において、ＲＦＩＤカードから読み取られた送信先情報は、揮発性の記憶装置であるＲＡＭ１０２に記憶される。したがって、プロジェクター１の電源がオフになる度に送信先情報は失われるため、送信先情報がプロジェクター１に予め登録される場合に比べて送信先情報のセキュリティが向上する。さらに、上述の実施形態では、ＲＦＩＤカードに記録されたパスワードを用いて描画ファイルの暗号化と復号が行われるため、仮に設定画面Ｉ１の誤操作によってユーザーの意図しないメールアドレスに宛てて電子メールが送信された場合であっても、当該電子メールを受信した第三者が描画ファイルを開いて閲覧することが防止される。
【００４７】
４．変形例
本発明は上述の実施形態に限定されるものではなく、種々の変形実施が可能である。以下、変形例をいくつか説明する。以下の変形例のうち２つ以上のものが組み合わせて用いられてもよい。
【００４８】
プロジェクター１が搭載するホワイトボード機能として、電子ペン２の指示により、円や矩形などの所定の図形を描画する機能や、JPEGやBMPなどの既存の画像ファイルを貼り込んだりする機能が備わっている場合がある。上述の実施形態においては、電子メールに添付して送信する画像は、「手書き画像」であるとして説明をしてきたが、手書き画像に限られず、所定の図形が描画された画像、又は、既存の画像ファイルを貼りつけた画像であってもかまわない。それぞれの画像は単独の画像であっても各画像を組合せた画像であってもかまわない。これらは指示体の位置に応じて描かれた図形を含む画像に相当する。
【００４９】
プロジェクター１は、ホワイトボード機能以外にも、映像ソースから入力された映像信号により示される投写画像（第１画像に相当する）に電子ペン２を使用した手書き図形や所定の図形を重ね書きする機能を搭載してもよい。このような場合、プロジェクター１は、投写画像に対し手書き図形や所定の図形を重ね書きした画像（第２画像に相当する）を電子メールに添付して送信してもかまわない。これらの画像は指示体の位置に応じて描かれた図形を含む画像に相当する。
【００５０】
プロジェクター１がＩＦボックス３を介して取得する送信先情報に含まれる情報は、実施形態に記載した情報に限らない。例えば、メールアドレスは、必ずしもＲＦＩＤカードから読み取られなくてもよい。プロジェクター１は、ＩＦボックス３から受信した送信先情報に含まれるユーザーＩＤを介してメールアドレスを特定してもよい。具体的には、プロジェクター１は、ＩＦボックス３から受信した送信先情報に含まれるユーザーＩＤを、メールアドレスを管理する情報処理装置（例えばサーバー装置４）に送信し、送信したユーザーＩＤに対応付けられたメールアドレスを当該情報処理装置から受信してもよい。この場合、プロジェクター１は、描画ファイルが添付された電子メールを、特定されたメールアドレスに宛てて送信する。
【００５１】
ステップＳ１において送信先情報の読み取りが行われるＲＦＩＤカードは、１枚に限らない。例えば、画像送信システムＴＳが会議又は授業などで利用される場合に、複数人分のＲＦＩＤカードの各々から送信先情報の読み取りが行われてもよい。この場合、プロジェクター１は、ＲＦＩＤリーダー／ライター３０２を介して読み取られた複数の送信先情報により特定されるメールアドレスの各々に、描画ファイルが添付された電子メールを送信する。
【００５２】
画像送信システムＴＳで複数の電子ペン２が用いられる場合、手書き画像は電子ペン２ごとに区別して記憶部１０３に記憶されてもよい。すなわち、電子ペン２を識別する識別子と当該電子ペン２の位置（軌跡）とが対応付けて記憶部１０３に記憶されてもよい。この場合、プロジェクター１は、ＲＦＩＤカードに記録された送信先情報に応じて異なる手書き画像から描画ファイルを生成し、当該描画ファイルを送信してもよい。具体的には、送信先情報には、電子ペン２ごとに区別して記憶部１０３に記憶された複数の手書き画像の中から少なくとも一の画像を指定する情報（以下「指定情報）という）が含まれており、プロジェクター１は、指定情報により指定された画像から生成された描画ファイルを端末装置５に送信してもよい。
【００５３】
指定情報に応じた描画ファイルが送信される場合の具体的な利用シーンとしては、例えば、画像送信システムＴＳが学校の教室で利用されており、先生と生徒が利用する端末装置の各々に描画ファイルを送信する場合が考えられる。この例で、先生と生徒とは、互いに異なる電子ペン２を利用して描画を行う。先生が携帯するＲＦＩＤカードと生徒が携帯するＲＦＩＤカード（例えば学生証）には、互いに異なる指定情報が記録されている。先生のＲＦＩＤカードには、例えば、先生用の電子ペン２による手書き画像と生徒用の電子ペン２による手書き画像とを指定する指定情報が記録されており、生徒のＲＦＩＤカードには、例えば、先生用の電子ペン２による手書き画像を指定する指定情報が記録されている。この場合、先生がＲＦＩＤカードをＲＦＩＤリーダー／ライター３０２にかざしてメール送信機能を利用すると、先生が描画した手書き画像と生徒が描画した手書き画像から生成された描画ファイルが先生の利用する端末装置に送信される。また、生徒がＲＦＩＤカードをＲＦＩＤリーダー／ライター３０２にかざしてメール送信機能を利用すると、先生が描画した手書き画像から生成された描画ファイルが生徒の利用する端末装置に送信される。
【００５４】
ユーザーがＲＦＩＤカードをＲＦＩＤリーダー／ライター３０２にかざす行為は、メール送信機能が利用される際に限らない。例えば、画像送信システムＴＳが会議又は授業などで利用される場合に、会議又は授業の出欠管理のためにＲＦＩＤカードの読み取りが行われてもよい。具体的には、会議又は授業に出席したユーザーが自らのＲＦＩＤカードをＲＦＩＤリーダー／ライター３０２にかざすと、読み取られた送信先情報に含まれるユーザーＩＤを利用してプロジェクター１が出席者の名簿を作成する。そして、プロジェクター１は、予め設定されているメールアドレス（ここでは、出欠管理を行う管理者のメールアドレス）に宛てて、出席者の名簿を送信する。別の例で、カラーモード、明るさ、コントラスト、シャープネスなど投写に関する各種設定をユーザーごとにカスタマイズすることができる機能をプロジェクター１が提供している場合に、ユーザーがカスタマイズを行い、また、カスタマイズされた設定でプロジェクター１を利用するためにＲＦＩＤカードの読み取りが行われてもよい。この例で、ユーザーは、カスタマイズをする際に自らのＲＦＩＤカードをＲＦＩＤリーダー／ライター３０２にかざす。プロジェクター１は、読み取られた送信先情報に含まれるユーザーＩＤと、カスタマイズの内容を示す情報（以下「カスタマイズ情報」という）とを対応付けて記憶部１０３に記憶する。また、ユーザーは、カスタマイズされた設定でプロジェクター１を利用する際に自らのＲＦＩＤカードをＲＦＩＤリーダー／ライター３０２にかざす。プロジェクター１は、読み取られた送信先情報に含まれるユーザーＩＤに対応付けられたカスタマイズ情報を記憶部１０３から読み出し、カスタマイズされた設定で入力画像を投写する。
【００５５】
送信先情報を読み取るためのＲＦＩＤリーダー／ライターは、ＩＦボックス３に内蔵されていなくてもよい。ＲＦＩＤリーダー／ライターは、例えば、ＩＦボックス３とは別の装置として設けられ、プロジェクター１と接続されていてもよい。また、プロジェクター１がユーザーの手が届く場所に配置される場合には、ＲＦＩＤリーダー／ライターは、プロジェクター１に組み込まれていてもよい。
【００５６】
ユーザーがＲＦＩＤカードをＲＦＩＤリーダー／ライター３０２にかざすタイミングは、実施形態に記載したタイミングに限らない。例えば、メール送信機能を実行するためのボタンが選択される前の段階でＲＦＩＤカードがＲＦＩＤリーダー／ライター３０２にかざされ、送信先情報が予め読み取られてもよい。
【００５７】
プロジェクター１は、描画ファイルを暗号化しなくてもよい。プロジェクター１は、例えば、送信先情報に含まれるパスワードを用いて描画ファイルをロックし、ロックをかけた描画ファイルを端末装置５に送信してもよい。この場合、ステップＳ９においてユーザーがパスワードを入力することにより、描画ファイルにかけられたロックが解除される。
【００５８】
メール送信機能を利用するユーザーは、ＲＦＩＤカードに替えてＲＦＩＤタグが内蔵された電子機器をＲＦＩＤリーダー／ライター３０２にかざしてもよい。
【００５９】
図２の機能を実現するためのプロジェクター１のハードウェアは、図３で例示したものに限定されない。例えば、プロジェクター１は、撮像部１０７を有していなくてもよい。この場合、電子ペン２が自らの位置を検知し、検知した位置をプロジェクターに通知してもよい。また、投写ユニット１０６は、色成分毎に光変調器を有していなくてもよく、単一の光変調器を有していてもよい。また、デジタルミラーデバイス（Digital Mirror Device、ＤＭＤ）等、液晶パネル以外の電気光学素子が光変調器として用いられてもよい。また、プロジェクター１以外に画像送信システムＴＳで用いられる各装置のハードウェア構成についても、図４乃至６で例示したものに限定されない。
【符号の説明】
【００６０】
１…プロジェクター、２…電子ペン、３…ＩＦボックス、４…サーバー装置、５…端末装置、１１…投写手段、１２…検知手段、１３…第１記憶手段、１４…取得手段、１５…第２記憶手段、１６…暗号化手段、１７…通信手段、１８…送信手段、１００…ＣＰＵ、１０１…ＲＯＭ、１０２…ＲＡＭ、１０３…記憶部、１０４…ＩＦ部、１０５…画像処理回路、１０６…投写ユニット、１０７…撮像部、１０８…操作パネル、３００…制御部、３０１…ＩＦ部、３０２…ＲＦＩＤリーダー／ライター、４０１…ＣＰＵ、４０２…ＲＯＭ、４０３…ＲＡＭ、４０４…記憶部、４０５…ＩＦ部、５０１…ＣＰＵ、５０２…ＲＯＭ、５０３…ＲＡＭ、５０４…記憶部、５０５…ＩＦ部、５０６…表示部、５０７…入力部
【図１】
0006503771.tif 000002
【図２】
0006503771.tif 000003
【図３】
0006503771.tif 000004
【図４】
0006503771.tif 000005
【図５】
0006503771.tif 000006
【図６】
0006503771.tif 000007
【図７】
0006503771.tif 000008
【図８】
0006503771.tif 000009
【図９】
0006503771.tif 000010
【図１０】
0006503771.tif 000011